(57)【特許請求の範囲】
【請求項１】
履物（Ｓ）の鼻緒部分（Ｈ）を被覆するのに十分な長さを有し、両端が開口した合成樹脂製チューブであって、この合成樹脂製チューブは、
硬度（Ｃスケール）が10°〜20°のポリエチレン系素材で、伸び率1300％以上、引っ張り強度7.5〜8.5kg/f、衝撃吸収率92〜98%の軟質樹脂であること、及び、
チューブを構成する本体部分（１０）及び中空部分（１１）の少なくとも一方の断面が真円ではなく、チューブの二側面に肉厚部（１３）を形成した楕円型であること
を特徴とする鼻緒被覆物（１，１Ａ，１Ｂ）。
【請求項２】
前記本体部分（１０Ａ，１０Ｂ）及び前記中空部分（１１Ａ，１１Ｂ）のいずれかの断面を多角形とした請求項１記載の鼻緒被覆物。
【請求項３】
請求項１又は２記載の鼻緒被覆物（１，１Ａ，１Ｂ）を装着したことを特徴とする鼻緒（Ｈ）。
【請求項４】
請求項３記載の鼻緒（Ｈ）を使用したことを特徴とする履物（Ｓ）。
【発明の詳細な説明】
【技術分野】
【０００１】
本発明は、履物の鼻緒被覆物及び鼻緒並びにそれを使用した履物に関する。履物としては、鼻緒を使用するタイプのもの全般であり、サンダルの一部や草履・下駄が含まれる。
【背景技術】
【０００２】
周知のように、鼻緒は使用者の足指の間に挟まれて、足を履物に固定する役割を有する。現代の日本人は、鼻緒を使用するタイプの履物をあまり履かないので、たまにそのような履物を長時間履くと足指の皮膚がすり切れて痛むことがある。
【０００３】
この問題を解決するために、透明なゴム又は合成樹脂のチューブで鼻緒を包み込むことが提案され、実用化されている（例えば、下記特許文献１参照）。このようにすることにより、固い鼻緒に直接足指が当たらないようにしている。
【特許文献１】実用新案登録第３０７３４２６号
【発明の開示】
【発明が解決しようとする課題】
【０００４】
現在市販されている鼻緒用のチューブは、透明な塩化ビニル製のものである。使用者に履心地を聞くと、何も手当てしないよりはましであるが、特に長時間履いているとやはり足指の間が痛くなるという。
【０００５】
本発明は、この問題を改善しようとするもので、鼻緒被覆物の材質を改良することにより、より快適な鼻緒及びこれを使用した履物を提供しようとするものである。
【課題を解決するための手段】
【０００６】
本発明の鼻緒被覆物は、履物の鼻緒部分を被覆するのに十分な長さを有し、両端が開口した合成樹脂製チューブであって、この合成樹脂製チューブは、硬度（Ｃスケール）が10°〜20°のポリエチレン系素材で、伸び率1300％以上、引っ張り強度7.5〜8.5kg/f、衝撃吸収率92〜98%の軟質樹脂であること、及び、チューブを構成する本体部分及び中空部分の少なくとも一方の断面が真円ではなく、チューブの二側面に肉厚部を形成した楕円型であることを特徴とする。
【０００７】
本発明の鼻緒は、前記鼻緒被覆物を装着したことを特徴とする。
【０００８】
本発明の履物は、前記鼻緒を使用した履物であることを特徴とする。
【発明の効果】
【０００９】
本発明の鼻緒被覆物を装着した鼻緒を使用した履物は、足の指に対する感触が柔らかく、柔軟であって、従来の塩化ビニル製品に比べて、長時間履いても指が痛くなるようなことは少なかった。
【発明を実施するための最良の形態】
【００１０】
硬度（Ｃスケール）が10°〜20°の軟質樹脂としては、ポリエチレン系新素材の「コスモゲル」（株式会社タイヨウの商標）が好ましい。
【００１１】
「コスモゲル」は、引っ張り強度と柔軟性、さらに復元性と耐久性に優れている。その物性数値は、硬度（Ｃスケール）4°、15°、伸び率1300％以上、引っ張り強度7.5〜8.5kg/f（好ましくは、約7.9kg/f ）、衝撃吸収率92〜98%（好ましくは、約95％）である。特に、Ｃスケール15°のものが本発明の目的には適当である。
【００１２】
従来、「コスモゲル」は、段差の大きい板金溶接部・複雑な形状の樹脂成型品などのガスケット、シール・パッキン材、ＯＡ機器の緩衝材、防振材、ゴミ取り材などに使用されているが、履物に使用した例はない。
【００１３】
コスモゲルには特性仕様として、高粘着タイプ（低硬度）、発泡タイプ（低比重、ブリード無し）、耐溶剤タイプの3タイプがある。本発明の目的のためにはそのいずれでもよい。
【００１４】
コスモゲルは無色透明であり、必要に応じて着色剤により着色することもできる。本発明の鼻緒被覆物は目立たない方がよいので、透明であることが好ましい。
【００１５】
チューブを構成する本体部分及び中空部分のどちらか又は双方の断面は真円ではなく、二側面のみに肉厚部を形成した楕円型とすることができる。そのようにすることにより、鼻緒に装着したとき、足指を肉厚部に接触させることができる。
【００１６】
同じ目的で、本体部分及び中空部分のどちらかの断面を多角形とすることもできる。特に中空部分の断面を多角形とすることが好ましい。多角形としては、三角形、四角形、五角形が適当である。６角形以上となると円とあまり変わらなくなる。例えば、三角形のときには、肉厚部が１２０°おきに３方向に現れ、四角形では９０°おきに４方向に現れるので好ましい。さらに、中空部分が多角形であると、本体部分が鼻緒の回りで自由回転しにくく、肉厚部が足指に当たり続けやすいという効果も得られる。
【００１７】
本発明の鼻緒被覆物を鼻緒に取り付けるには、これを鼻緒に装着した後で、鼻緒の端部を履物の靴底に埋設固定する。したがって、通常は工場生産の段階で取り付けられる。
【実施例１】
【００１８】
以下、添付の図面に基づき、本発明の実施例を説明する。
【００１９】
図１は、本発明の鼻緒被覆物を鼻緒に取り付けたサンダルＳの斜視図である。図２は、鼻緒被覆物１の拡大斜視図である。
【００２０】
この鼻緒被覆物１は、両端が開口した合成樹脂製の透明チューブである。その素材は、硬度（Ｃスケール）15°、伸び率1300％以上、引っ張り強度7.9kg/f 、衝撃吸収率95％のポリエチレン系新素材「コスモゲル」（株式会社タイヨウの商標）である。
【００２１】
これを成形するには、素材の熱可塑性エラストマーの特性を生かし、インジェクション成型やブロー成型、そして押し出し成形など様々な加工方法が選択可能である。
【００２２】
図２に示すように、この鼻緒被覆物１のチューブは、中空部分１１は真円であるが、本体部分１０は真円ではなく、二側面のみ肉厚とした楕円型である。すなわち、この実施例では、Ｌ１＝８ｍｍ、Ｌ２＝１４ｍｍ、Ｌ３＝８ｍｍ、Ｌ４＝１３ｍｍである。鼻緒１に取り付けるときには、足指に本体部分１０の肉厚部分１３が当たるように取り付ける。
【００２３】
この鼻緒被覆物を鼻緒に取り付けるには、これを鼻緒に装着した後で、鼻緒の端部を履物の靴底に埋設固定することによる。
【実施例２】
【００２４】
図３は実施例２であり、本体部分１０Ａの外形断面を円形、中空部分１１Ａの断面を正方形としたものである。中空部分１１Ａが正方形であると、
（１）肉厚部１３Ａが９０°おきに４方向に現れるので、足指が肉厚部に接触しやすい、
（２）本体部分１０Ａが鼻緒Ｈの回りで自由回転しにくいので、肉厚部１３Ａが絶えず足指に当たるように設定することができる
という効果が得られる。
【実施例３】
【００２５】
図４は実施例３であり、本体部分１０Ｂの外形断面を円形、中空部分１１Ｂの断面を三角形としたものである。中空部分１１Ｂが三角形であると、
（１）肉厚部１３Ｂが１２０°おきに３方向に現れるので、足指が肉厚部に接触しやすい、
（２）本体部分１０Ｂが鼻緒Ｈの回りで自由回転しにくいので、肉厚部１３Ｂが絶えず足指に当たるように設定することができる
という効果が得られる。
【図面の簡単な説明】
【００２６】
【図１】実施例１の鼻緒被覆物を鼻緒に取り付けたサンダルの斜視図である。
【図２】実施例１の鼻緒被覆物の拡大斜視図である。
【図３】実施例２における鼻緒被覆物の拡大斜視図である。
【図４】実施例３における鼻緒被覆物の拡大斜視図である。
【符号の説明】
【００２７】
１，１Ａ，１Ｂ  鼻緒被覆物
１０，１０Ａ，１０Ｂ  本体部分
１１，１１Ａ，１１Ｂ  中空部分
１３，１３Ａ，１３Ｂ  肉厚部
【図１】
0004791215.tif 000002
【図２】
0004791215.tif 000003
【図３】
0004791215.tif 000004
【図４】
0004791215.tif 000005